(57)【要約】【目的】  映像の動きの激しい部分と静止画的部分とを比較的簡単に把握することができ、ダビング時の再エンコードダビングと高速ダビングとの振り分けを容易にするコンテンツのダビング用記録方法等を提供する。【構成】  ハードディスク２６に記録した映像コンテンツをＤＶＤメディア１５に記録することを想定して前記ハードディスク２６に映像コンテンツを記録する。ハードディスク２６に映像コンテンツを記録するときには、ＤＶＤメディア１５の規格内のビットレートで且つコンスタントビットレートによる記録を行うと共に、前記映像コンテンツを構成する所定単位のデータ（Ｃｅｌｌ）についての映像の動きの多さ又は少なさを示す参照値を前記コンスタントビットレートに依存する特性に基づいて算出し、この算出した参照値を前記映像コンテンツとともにその属性情報としてハードディスク２６に記録する。【選択図】      図１
2006157553.tif 000002
【特許請求の範囲】
【請求項１】
第１の記録媒体（又は記録領域）に記録した映像コンテンツを第２の記録媒体（又は記録領域）に記録することを想定して前記第１の記録媒体（又は記録領域）に映像コンテンツを記録する方法であって、第１の記録媒体（又は記録領域）に映像コンテンツを記録するときには、第２の記録媒体（又は記録領域）の規格内のビットレートで且つコンスタントビットレートによる記録を行うと共に、前記映像コンテンツを構成する所定単位のデータについての映像の動きの多さ又は少なさを示す参照値を前記コンスタントビットレートに依存する特性に基づいて算出し、この算出した参照値を前記映像コンテンツとともにその属性情報として第１の記録媒体（又は記録領域）に記録することを特徴とするコンテンツのダビング用記録方法。
【請求項２】
請求項１に記載のコンテンツのダビング用記録方法において、第１の記録媒体（又は記録領域）に映像コンテンツを記録するときには、第２の記録媒体（又は記録領域）の規格内の最高又はほぼ最高のビットレートで記録を行うことを特徴とするコンテンツのダビング用記録方法。
【請求項３】
請求項１又は請求項２に記載のコンテンツのダビング用記録方法において、前記映像コンテンツはＭＰＥＧ規格に基づいて符号化され、前記参照値はＩピクチャサイズとＢピクチャサイズとＰピクチャサイズのうち少なくとも一つのピクチャサイズを用いて算出されることを特徴とするコンテンツのダビング用記録方法。
【請求項４】
請求項３に記載のコンテンツのダビング用記録方法において、前記参照値は、一つのデータセルについて複数生成されることを特徴とするコンテンツのダビング用記録方法。
【請求項５】
請求項１乃至請求項４のいずれかに記載のコンテンツのダビング用記録方法を用いて記録した映像コンテンツを第２の記録媒体（又は記録領域）にコピーするダビング方法であって、前記映像コンテンツの属性情報から参照値を読み出し、前記参照値により、映像の動きが多いと判断した所定単位のデータについては再符号化を行わずにダビングし、前記参照値により、映像の動きが少ないと判断した所定単位のデータについては再符号化によりデータ量を削減してダビングすることを特徴とするダビング方法。
【請求項６】
請求項５に記載のダビング方法において、ダビング元の映像コンテンツのサイズを算出して第２の記録媒体（又は記録領域）の空き領域にダビングできるかどうかを判断し、ダビングできないと判断したときに、再符号化によりデータ量を削減してダビングを行うことを特徴とするダビング方法。
【請求項７】
請求項６に記載のダビング方法において、再符号化する映像部分を増やした場合の映像コンテンツのサイズを再算出し、再算出したサイズであれば第２の記録媒体（又は記録領域）の空き領域に前記映像コンテンツをダビングできると判断したときに、再符号化によりデータ量を削減してダビングを行うことを特徴とするダビング方法。
【請求項８】
請求項１乃至請求項４のいずれかに記載のコンテンツのダビング用記録方法及び請求項５乃至請求項７のいずれかに記載のダビング方法を実施する映像記録再生装置であって、第１の記録媒体は内蔵のハードディスクであり、第２の記録媒体は着脱可能な映像記録ディスクであることを特徴とする映像記録再生装置。
【請求項９】
請求項１乃至請求項４のいずれかに記載のコンテンツのダビング用記録方法及び請求項５乃至請求項７のいずれかに記載のダビング方法を実施する映像記録再生装置であって、第１の記録領域及び第２の記録領域ともに内蔵のハードディスクに形成されることを特徴とする映像記録再生装置。
【請求項１０】
請求項１乃至請求項４のいずれかに記載のコンテンツのダビング用記録方法及び請求項５乃至請求項７のいずれかに記載のダビング方法を実施する映像記録再生装置であって、第１の記録媒体は着脱可能な映像記録ディスクであり、第２の記録媒体は着脱可能な他の映像記録ディスクであることを特徴とする映像記録再生装置。
【発明の詳細な説明】
【技術分野】
【０００１】
この発明は、例えばＨＤＤ−ＤＶＤコンボレコーダなどの映像記録再生装置に関する。
【背景技術】
【０００２】
ＨＤＤ−ＤＶＤコンボレコーダは、ハードディスクに格納されているコンテンツをＤＶＤにダビング（コピー）する機能を備えている。そして、このダビング方式として、通常、再符号化を伴う再エンコードダビングと再符号化を伴わない高速ダビングの両方が可能になっている（特許文献１参照）。
【特許文献１】特開２００３−３２４６８０号公報
【発明の開示】
【発明が解決しようとする課題】
【０００３】
高速ダビングを行えば、再エンコードに伴う画質の劣化は生じないが、ＤＶＤ規格上の規定やＤＶＤメディアのメディアサイズ（或いは空きサイズ）等により、再エンコードダビングを選択せざるを得ない場合がある。また、ハードディスクにＤＶＤ規格で規定されている以上のビットレートで記録し（例えば、１５Ｍｂｐｓ）、ダビング時にＤＶＤ規格内のビットレートとなるように再エンコードすることもあるが、このような構成では一般に高性能な符号化／複合化チップが必要になり、コストアップになる。
【０００４】
ここで、コンテンツをハードディスクに記録する際に、ＤＶＤメディアへのダビングが行われることを想定して、同一コンテンツ内で再符号化を行う部分と再符号化を行わない部分との区分けを行い、ダビング時に前記区分けに従って処理を行うことが考えられるが、例えば、符号化時にいわゆる符号化統計量を算出する（コンテンツ内映像の動きの激しい部分と静止画的部分とを符号化統計量で把握する）こととすると、システムがとても複雑になることが予想される。
【０００５】
この発明は、上記の事情に鑑み、比較的簡単に映像の動きの激しい部分と静止画的部分とを把握することができ、ダビング時の再エンコードダビングと高速ダビングとの振り分けを容易にすることができるコンテンツのダビング用記録方法及びダビング方法及び映像記録再生装置を提供することを目的とする。
【課題を解決するための手段】
【０００６】
この発明のコンテンツのダビング用記録方法は、上記課題を解決するために、第１の記録媒体（又は記録領域）に記録した映像コンテンツを第２の記録媒体（又は記録領域）に記録することを想定して前記第１の記録媒体（又は記録領域）に映像コンテンツを記録する方法であって、第１の記録媒体（又は記録領域）に映像コンテンツを記録するときには、第２の記録媒体（又は記録領域）の規格内のビットレートで且つコンスタントビットレートによる記録を行うと共に、前記映像コンテンツを構成する所定単位のデータについての映像の動きの多さ又は少なさを示す参照値を前記コンスタントビットレートに依存する特性に基づいて算出し、この算出した参照値を前記映像コンテンツとともにその属性情報として第１の記録媒体（又は記録領域）に記録することを特徴とする。
【０００７】
上記の構成であれば、映像コンテンツを構成する所定単位のデータについての映像の動きの多さ又は少なさを示す参照値を前記コンスタントビットレートに依存する特性に基づいて算出するので、比較的簡単に映像の動きの激しい部分と静止画的部分とを把握することができる。
【０００８】
上記構成のコンテンツのダビング用記録方法において、第１の記録媒体（又は記録領域）に映像コンテンツを記録するときには、第２の記録媒体（又は記録領域）の規格内の最高又はほぼ最高のビットレートで記録を行うこととしてもよい。
【０００９】
また、これら構成のコンテンツのダビング用記録方法において、前記映像コンテンツはＭＰＥＧ規格に基づいて符号化され、前記参照値はＩピクチャサイズとＢピクチャサイズとＰピクチャサイズのうち少なくとも一つのピクチャサイズを用いて算出されることとしてもよい。また、かかる構成において、前記参照値は、一つのデータセルについて複数生成されることとしてもよい。
【００１０】
また、この発明のダビング方法は、上述したいずれかのダビング用記録方法を用いて記録した映像コンテンツを第２の記録媒体（又は記録領域）にコピーするダビング方法であって、前記映像コンテンツの属性情報から参照値を読み出し、前記参照値により、映像の動きが多いと判断した所定単位のデータについては再符号化を行わずにダビングし、前記参照値により、映像の動きが少ないと判断した所定単位のデータについては再符号化によりデータ量を削減してダビングすることを特徴とする。
【００１１】
上記の構成であれば、映像コンテンツの属性情報から読み出した参照値によって映像の動きの多い又は少ないを判断できるので、ダビング時の再エンコードダビングと高速ダビングとの振り分けを容易にすることができる。
【００１２】
上記構成のダビング方法において、ダビング元の映像コンテンツのサイズを算出して第２の記録媒体（又は記録領域）の空き領域にダビングできるかどうかを判断し、ダビングできないと判断したときに、再符号化によりデータ量を削減してダビングを行うこととしてもよい。また、かかる構成において、再符号化する映像部分を増やした場合の映像コンテンツのサイズを再算出し、再算出したサイズであれば第２の記録媒体（又は記録領域）の空き領域に前記映像コンテンツをダビングできると判断したときに、再符号化によりデータ量を削減してダビングを行うこととしてもよい。
【００１３】
また、この発明の映像記録再生装置は、上述したいずれかのダビング用記録方法及びいずれかのダビング方法を実施する映像記録再生装置であって、第１の記録媒体は内蔵のハードディスクであり、第２の記録媒体は着脱可能な映像記録ディスクであることを特徴とする。
【００１４】
また、この発明の映像記録再生装置は、上述したいずれかのダビング用記録方法及びいずれかのダビング方法を実施する映像記録再生装置であって、第１の記録領域及び第２の記録領域ともに内蔵のハードディスクに形成されることを特徴とする。
【００１５】
また、この発明の映像記録再生装置は、上述したいずれかのダビング用記録方法及びいずれかのダビング方法を実施する映像記録再生装置であって、第１の記録媒体は着脱可能な映像記録ディスクであり、第２の記録媒体は着脱可能な他の映像記録ディスクであることを特徴とする。
【発明の効果】
【００１６】
この発明によれば、映像の動きの激しい部分と静止画的部分とを比較的簡単に把握することができ、ダビング時の再エンコードダビングと高速ダビングとの振り分けを容易にすることができるという効果を奏する。
【発明を実施するための最良の形態】
【００１７】
以下、この発明の実施形態のＨＤＤ−ＤＶＤコンボレコーダ（ハードディスクからＤＶＤへのコンテンツコピーが可能な映像記録再生装置）を図１乃至図１０に基づいて説明する。
【００１８】
図１にＨＤＤ−ＤＶＤコンボレコーダ１のブロック図を示す。外部入力系１０により、チューナや外部入力端子（この端子には、例えば、ケーブルＴＶ用のセットトップボックスなどの映像装置が接続される）からのアナログ映像／音声信号がディジタルデータ化される。具体的には、Ａ／Ｄコンバータ１０ａによってチューナ等からのアナログ音声信号がディジタル信号化され、ビデオデコーダ１０ｂによりチューナ等からのアナログ映像信号がディジタル信号（ＣＣＩＲ−ＲＥＣ６５６）に変換される。そして、ＭＰＥＧビデオエンコーダ１０ｃによってＭＰＥＧビデオ規格に従った処理がなされ、ＭＰＥＧ／ＡＣ３オーディオエンコーダ１０ｄによってオーディオ規格（ＭＰＥＧ／ＡＣ３／リニアＰＣＭ）に従った処理がなされる。
【００１９】
マルチプレクサ１１は、ＭＰＥＧビデオエンコーダ１０ｃから出力されるビデオＰＥＳ（Ｐａｃｋｅｔｉｚｅ  Ｅｌｅｍｅｎｔａｒｙ  Ｓｔｒｅａｍ）及びＭＰＥＧオーディオエンコーダから出力されるオーディオＰＥＳを多重化してＭＰＥＧストリームを出力する。
【００２０】
フォーマッタ１２は、ＤＶＤ規格で規定されているナビゲーション情報（ＮＡＶ）をＭＰＥＧストリームに付加する。ナビゲーション情報は、システムコントローラ１３のナビゲーション情報生成部１３ａによって生成される。
【００２１】
変調部１４は、ＭＰＥＧストリーム（ディジタル信号）をＤＶＤメディア１５に記録しやすい形に変調する。ピックアップ１６は変調信号に基づいてレーザ光を照射してＤＶＤメディア１５にデータを記録する。サーボ回路はスピンドルモータ１８の回転制御及びピックアップ１６の駆動制御を行う。
【００２２】
また、ピックアップ１６は、ＤＶＤメディア１５から信号を読み取り、電気信号に変換する。ピックアップ１６による信号の書込／読出においては、前記スピンドルモータ１８の回転数が制御され、その後にＤＶＤメディア１５の記録面に焦点を合わせるフォーカスサーボ、次にピット列に沿って０と１の信号を読み取るためのトラッキングサーボ、更に、スピンドルサーボが働く。
【００２３】
ピックアップ１６にから出力される電気信号は、復調部１９によってディジタル信号信号に変換される。誤り訂正回路２０は、再生されたディジタル信号の誤りを訂正する。ＤＶＤでは、エラーを訂正する方式として、ＲＳ−ＰＣ（リードソロモン積符号）が採用されている。訂正能力としては、訂正前の誤り率０．１％のときに、オーディオ用ＣＤは訂正後は１０-11 〜１０-12 であるが、ＤＶＤでは１０-35 になっている。
【００２４】
デマルチプレクサ２１は、ＭＰＥＧストリーム（映像、音声、字幕がそれぞれの識別子を備えながら１本の信号になっている）を、前記識別子に従って映像ストリーム、音声ストリーム、及び字幕ストリームに分離する。
【００２５】
ＭＰＥＧビデオデコーダ２２は映像ストリームを復号して量子化係数や動きベクトルを求め、逆ＤＣＴ変換や動きベクトルに基づく動き補償制御などを行うことによって映像データを出力する。ビデオエンコーダ２３は映像データ（色差信号データ）をＮＴＳＣやＰＡＬにエンコードする。ＮＴＳＣとＰＡＬの相互変換も可能である。映画を２４コマで符号化、記録された場合にはプレーヤで２−３プルダウンしてＮＴＳＣ信号にする。
【００２６】
ＭＰＥＧ／ＡＣ３オーディオデコーダ２４は、音声ストリーム中の音声符号データ（ドルビーＡＣ−３などのフォーマットによる符号データ）を復号して、非圧縮の音声データを生成する。Ｄ／Ａコンバータ２５は、非圧縮の音声データをそのままＤ／Ａ変換して外部に出力する。
【００２７】
ハードディスク２６には受信した映像等のコンテンツが格納される。そして、このコンテンツをＤＶＤディスク１５にダビングすることができる。このダビング方式として、再符号化を伴う再エンコードダビングと再符号化を伴わない高速ダビングの両方が可能である。再エンコードダビングを行う場合、例えば、ハードディスク２６から読み出されたストリームはデマルチプレクサ２１にて映像ストリームと音声ストリームに分離される。映像ストリームはＭＰＥＧビデオデコーダ２２を通ることで映像データとなり、この映像データはＭＰＥＧビデオエンコーダ１０ｃを通ることで再符号化される。また、音声ストリームは、ＭＰＥＧ／ＡＣ３オーディオデコーダ２４を通ることで音声データとなり、この音声データはＭＰＥＧ／ＡＣ３オーディオエンコーダ１０ｄを通ることで再符号化される。高速ダビングを行う場合、例えば、ハードディスク２６から読み出されたストリームは、フォーマッタ１２及び変調部１４を経てＤＶＤディスク１５に記録される。
【００２８】
そして、受信した映像等をハードディスク２６に記録するときには、ＤＶＤディスク１５へのダビングを見越して、ＤＶＤ規格を満足する最高レート（システムビットレート１０．０８Ｍｂｐｓ以下で且つ、ビデオビットレート９．８Ｍｂｐｓ以下）で映像を記録することとする。更に、エンコードの方式には、ＣＢＲ（constant bitrate）とＶＢＲ（variable bitrate）とがあるが、ＣＢＲで行うこととする。
【００２９】
ＤＶＤビデオ規格では、図８に示すように、アプリケーションフォーマットが規定されている。また、ＤＶＤディスク内の記録情報は、図９に示すように構成されている。更に、ビデオマネージャメニュー用ビデオオブジェクトセット（VMGM＿VOBS）は、図７に示すように構成される。ここで、ＮＡＶパック（ＰＣＩ：presentation control information，ＤＳＩ：data search information ）はナビゲーション情報である。また、ハードディスク２６においては、図６に示すように、ストリーム用ファイルフォーマットが規定されている。
【００３０】
各画面を構成するＰＧＣ（program chain ）は、複数個のＶＯＢ（video  object ）から成る。このＶＯＢは複数個のエレメンタリストリームを集合したＭＰＥＧプログラムストリームである。ＶＯＢＵ（ＶＯＢ unit ）は、１個のナビゲーションパックで始まり、整数個の論理ブロックから構成される。セル（cell）は再生されるコンテンツの基本単位で、複数個のＶＯＢＵから構成される。
【００３１】
前述のごとく、エンコードのビットレートをＣＢＲで行う場合、記録する映像ソースの動きの多さ（激しさ）又は少なさを、以下のごとく、ＩピクチャサイズとＢピクチャサイズとＰピクチャサイズの一つ又は幾つかを利用して判断することができる。なお、図１０の（ａ）にはテスト結果を表で示しており、同図の（ｂ）には動きの少ない映像ソースにおける各ピクチャのサイズをグラフ表示し、同図の（ｃ）には動きの激しい映像ソースにおける各ピクチャのサイズをグラフ表示している。テスト条件として、ＧＯＰ（グループオブピクチャ）はＩＢＢＰであり、ＧＯＰを構成するピクチャ数は１５であり、ビデオビットレートは１０Ｍｂｐｓ（ＣＢＲ，openＧＯＰ）であり、オーディオはＭＰＥＧ１  layer2（４８Ｋｈｚ，２２４Ｋｂｐｓ）である。また、図１０において、ピクチャ順とは、ＩＢＢＰＢＢＰＢＢＰＢＢＰＢＢの順である。
【００３２】
イ．ＩピクチャサイズとＰピクチャサイズとの比に基づいて映像の動きの激しさを判断する（後述のフローチャートでは、この方法を採用している）。
ロ．Ｉピクチャサイズのみで映像の動きの激しさを判断する。すなわち、動きの激しいシーンを含む場合、ＩピクチャよりもＢピクチャやＰピクチャにより多くデータ量が分配されるため、Ｉピクチャサイズは小さくなる。
ハ．Ｉピクチャとその直後のＢピクチャとのサイズ比（Ｂ／Ｉ）で判断する。すなわち、動きの激しいシーンを含む場合、ＩピクチャよりもＢピクチャにより多くデータ量が分配されるため、サイズ比は大きくなる。
ニ．ＢピクチャとＰピクチャのサイズ比で判断する。すなわち、静止画的なシーンでは、ＢピクチャとＰピクチャのサイズがほぼ同じになり、前記サイズ比は１に近づく。
ホ．Ｐピクチャのサイズから判断する。すなわち、動きの激しいシーンを含む場合、Ｐピクチャのサイズは大きくなる。
【００３３】
［コンテンツのダビング用記録処理］
次に、図２及び図３のフローチャートに基づいて記録処理（ハードディスク２６へのＣＢＲ記録）を説明していく。システムコントローラ１３は、ハードディスク２６に空きがあるかどうかを判断する（ステップＳ１）。ハードディスク２６に空きがない場合には処理を終了し、空きがある場合には（ステップＳ１でＹＥＳ）、「タイトル数＞４００」を満たすかどうか（ＨＤＤに記録時の実装仕様上の制約）を判断する（ステップＳ２）。満たす場合には処理を終了し、タイトル数が４００以下であるときには（ステップＳ２でＮＯ）、入力映像信号を選択する（ステップＳ３）。すなわち、ユーザによるリモートコントローラの操作、セット本体の記録ボタン或いはタイマー予約による記録開始の状態になると、選択されている入力ソース（チューナ、外部入力）が選択される。
【００３４】
次に、ストリーム用ファイル、属性記録用ファイルをそれぞれオープンし（ステップＳ４、Ｓ５）、タイトル数を“１”加算する（ステップＳ６）。そして、ビデオ及びオーディオについてＭＰＥＧエンコードを開始し（ステップＳ３７）、更にＭＰＥＧシステムエンコードを開始する（ステップＳ３８）。
【００３５】
システムコントローラ１３は、ユーザによる終了操作を監視し（ステップＳ９）、終了操作があった場合にはステップＳ１９へ進む。終了操作がない場合には、ハードディスク２６に空きがあるかどうかを判断する（ステップＳ１０）。ディスクに空きがある場合には、ＭＰＥＧデータを取得し（ステップＳ１１）、ストリーム用ファイルに書き込む（ステップＳ１２）。次に、ピクチャ終端を越えたかどうかを判断する（ステップＳ１３）。すなわち、一つのピクチャ（Ｉピクチャ等）を構成する全データを取得できたかどうかを判断する。
【００３６】
ピクチャ終端を越えていない場合には、ステップＳ９へ戻る。ピクチャ終端を越えた場合には（ステップＳ１３でＹＥＳ）、ピクチャサイズを取得し（ステップＳ１４）、このピクチャサイズを属性記録用ファイルに書き込む（ステップＳ１５）。次に、Ｃｅｌｌの区切りであるかどうかを判断し（ステップＳ１６）、区切りでない場合にはステップＳ９に戻る。Ｃｅｌｌの区切りであると判断した場合には（ステップＳ１６でＹＥＳ）、例えば、前記属性記録用ファイルの記載に基づいて“Ｉピクチャ”と“Ｐピクチャ”のサイズ比をＣｅｌｌ内のＶＯＢＵ単位で算出し（ステップＳ１７）、この算出したサイズ比情報をＣｅｌｌの属性情報として前記属性記録用ファイルに付加し（ステップＳ１８）、ステップＳ９へ戻る。
【００３７】
ハードディスク２６に空きがない場合（ステップＳ１０でＮＯ）、ＭＰＥＧシステムエンコード、ビデオ及びオーディオのＭＰＥＧエンコードを順次終了する（ステップＳ１９、ステップＳ２０）。また、ストリーム用ファイル、属性記録用ファイルの書き込みを順次終了する（ステップＳ２１、ステップＳ２２）。
【００３８】
［ダビング処理］
次に、図４及び図５のフローチャートに基づいてダビング処理（ハードディスク２６からＤＶＤメディア１５への記録（ＣＢＲ，ＶＢＲいずれでもよい））を説明していく。
【００３９】
ユーザがダビング元のタイトルを選択すると（ステップＳ３１）。システムコントローラ１３は、ダビング先のＤＶＤディスク１５の空き容量を確認し（ステップＳ３２）、空き容量が十分でない場合には（ステップＳ３３でＮＯ）、処理を終了する。空き容量が十分であれば（ステップＳ３３でＹＥＳ）、ダビング先のタイトル数を確認する（ステップＳ３４）。タイトル数が９９未満でなければ（ステップＳ３５でＮＯ）、処理を終了し、９９未満であるときには、再エンコードするときのビットレートを決定する（ステップＳ３６）。このビットレートは、ハードディスク記録時のビットレートよりも低いものとなる。また、ダビング先でのタイトルのサイズ（この時点では、タイトル元のサイズと同じである）を算出する（ステップＳ３７）。そして、ダビング先でのタイトルが、所定サイズ以下（ＤＶＤディスク１５の空き領域に入るサイズ以下）であるかどうかを判断する（ステップＳ３８）。
【００４０】
ダビング先でのタイトルが所定サイズ以下でなければ、ハードディスク２６に記録されている元タイトルの属性記録用ファイルを読み出す（ステップＳ３９）。そして、この属性記録用ファイルからダビング元のタイトル内の“Ｉピクチャ”と“Ｐピクチャ”のサイズ比をＣｅｌｌ単位で取得し（ステップＳ４０）、映像としての動きが小さいと判断したＶＯＢＵが存在するＣｅｌｌを検索し（ステップＳ４１）、そのようなＣｅｌｌを再エンコードするリストに登録する（ステップＳ４２）。映像としての動きが小さいかどうかの判断は、例えば、前記サイズ比が所定値以下であるかどうかにより行う。更に、再エンコード前のＣｅｌｌサイズから再エンコードしたときのＣｅｌｌサイズを差し引いた差分を算出する（ステップＳ４３）。ＣＢＲ記録であれば、例えば、元ビットレートと再エンコードのビットレートとＣｅｌｌ再生時間とによって、差分（ビット数）が求まる。ＶＢＲでは、例えば、元ビットレートと再エンコードのピークビットレートとＣｅｌｌ再生時間とによって、差分（ビット数）が求まる。この差分を用いて、ダビング先でのタイトルのサイズを再計算して（ステップＳ４４）、ステップＳ３８へ戻る。
【００４１】
なお、前記所定値として第１の値、第２の値、第３の値、…を用意しておき、ステップＳ３８へ戻るときには、先に使用した所定値の次の所定値を用いることとしてもよい。すなわち、ステップＳ３８へ戻って再度リスト登録を行うときには、前回よりも幾分動きのある映像（Ｃｅｌｌ）についても再エンコードリストに登録されるようにする。
【００４２】
ステップＳ３８においてダビング先のタイトルが所定サイズ以下であると判断されたときには、ダビングを開始し（ステップＳ４５）、Ｃｅｌｌ単位で再エンコードを行うかどうかを判断する（ステップＳ４６）。再エンコードリストに登録されているＣｅｌｌ（ステップＳ４６でＹＥＳ）は、再エンコードダビングを行い（ステップＳ４７）、ＭＰＥＧデコードを開始する（ステップＳ４８）。ＭＰＥＧデコード出力（映像データ）をＭＰＥＧエンコーダに入力し（ステップＳ４９）、ＭＰＥＧエンコードを開始する（ステップＳ５０）。ＭＰＥＧエンコードした出力をターゲットであるＤＶＤメディア１５に記録し（ステップＳ５１）、最後までデコードが完了していない場合には（ステップＳ５２でＮＯ）、ステップＳ５１に戻る。一方、Ｃｅｌｌの最後までデコードが完了した場合には（ステップＳ５２でＹＥＳ）、ＭＰＥＧデコードを停止する（ステップＳ５３）。そして、ＭＰＥＧデコード出力とＭＰＥＧエンコーダ入力との間を切断し（ステップＳ５４）、ＭＰＥＧエンコードを停止し（ステップＳ５５）、ステップＳ６０に進む。
【００４３】
一方、ステップＳ４６において、再エンコードリストに登録されていないＣｅｌｌであると判断された場合には、再エンコードしないダビングを行う（ステップＳ５６）。ダビング元のＣｅｌｌのデータをリードし（ステップＳ５７）、ダビング先のＤＶＤメディアにリードしたデータを書き込む（ステップＳ５８）。そして、Ｃｅｌｌの最後までダビングしたかを判断し（ステップＳ５９）、完了していない場合にはステップＳ５７へ戻る。デコードが完了した場合には（ステップＳ５９でＹＥＳ）、ダビング元の全タイトルについてダビングが完了したかどうかを判断し（ステップＳ６０）、完了していない場合にはステップＳ４６に戻る。全タイトルについてダビングが完了した場合には、ダビング先のタイトルの数を１増やして（ステップＳ６１）処理を終了する。
【００４４】
なお、以上説明した実施例では、ＤＶＤビデオ規格に基づいた構成例を示したが、これに限るものではない。また、ハードディスク２６内で第１の記録領域と第２の記録領域を形成しておき、第１の記録領域から第２の記録領域へコンテンツをコピーするときにも、本願発明を適用することができる。また、二つのディスクメディア（例えば、一つはＨＤ−ＤＶＤで他の一つはＤＶＤ等）間でのダビングにも、本願発明を適用することができる。
【図面の簡単な説明】
【００４５】
【図１】この発明の実施形態のＨＤＤ−ＤＶＤコンボレコーダを示したブロック図である。
【図２】この発明の実施形態のコンテンツのダビング用記録方法の処理内容の一部を示したフローチャートである。
【図３】この発明の実施形態のコンテンツのダビング用記録方法の処理内容の残り部分を示したフローチャートである。
【図４】この発明の実施形態のダビング方法の処理内容の一部を示したフローチャートである。
【図５】この発明の実施形態のダビング方法の処理内容の残り部分を示したフローチャートである。
【図６】ハードディスクドライブのストリーム用ファイルフォーマットを示した説明図である。
【図７】ＶＭＧメニュー構成を示した説明図である。
【図８】ＤＶＤのアプリケーションフォーマットを示した説明図である。
【図９】ＤＶＤディスク内の記録情報を示した説明図である。
【図１０】この発明の実施形態におけるＩピクチャサイズ等を用いた映像の激しさ判定のためのテスト結果を示した説明図である。
【符号の説明】
【００４６】
１    ＨＤＤ−ＤＶＤコンボレコーダ
１０  外部入力系
１５  ＤＶＤメディア
２６  ハードディスク
【図１】
2006157553.tif 000003
【図２】
2006157553.tif 000004
【図３】
2006157553.tif 000005
【図４】
2006157553.tif 000006
【図５】
2006157553.tif 000007
【図６】
2006157553.tif 000008
【図７】
2006157553.tif 000009
【図８】
2006157553.tif 000010
【図９】
2006157553.tif 000011
【図１０】
2006157553.tif 000012